(57)【要約】【課題】室内機筐体支持部周辺スペースを活用でき、施工性に配慮した筐体支持構造を提供し、筐体内部空間を拡大することができる空気調和装置室内機を提供することを目的としている。【解決手段】送風機を筐体略中央に配し、その周囲に熱交換器と複数の空気吹き出し口を有し、天井に埋め込みもしくは、天井より吊り下げる空気調和装置室内機であって、略四角形状の前記筐体の角部に開口部を有する吊金具を配置し、天井裏より吊り下げた吊ボルトに吊り金具を固定するに際し、吊り金具の開口部に吊ボルトを位置づけて吊り金具の下部にナットを配して筐体の高さ位置調整し、ナットの回り止め防止部材によりナットの回転を防止することを特徴とする。【選択図】図１
2016075438.tif 000002
【特許請求の範囲】
【請求項１】
送風機を筐体略中央に配し、その周囲に熱交換器と複数の空気吹き出し口を有し、天井に埋め込みもしくは、天井より吊り下げる空気調和装置室内機であって、
略四角形状の前記筐体の角部に開口部を有する吊金具を配置し、天井裏より吊り下げた吊ボルトに前記吊り金具を固定するに際し、前記吊り金具の開口部に前記吊ボルトを位置づけて前記吊り金具の下部にナットを配して前記筐体の高さ位置調整し、前記ナットの回り止め防止部材により前記ナットの回転を防止することを特徴とする空気調和装置室内機。
【請求項２】
請求項１に記載の空気調和装置室内機であって、
前記回り止め防止部材は、ナット下部に配置された押さえ板と、該押さえ板と前記吊り金具の間を締結する締結手段を含むことを特徴とする空気調和装置室内機。
【請求項３】
請求項２に記載の空気調和装置室内機であって、
ナットと押さえ板が一体に形成されていることを特徴とする空気調和装置室内機。
【請求項４】
請求項２または請求項３に記載の空気調和装置室内機であって、
前記吊り金具と前記押さえ板には、それぞれ複数の孔が形成されており、前記吊り金具と前記押さえ板の孔の間がねじにより締結されていることを特徴とする空気調和装置室内機。
【請求項５】
請求項１に記載の空気調和装置室内機であって、
前記回り止め防止部材は、ナット下部に配置されてその中心部の孔形状がナット外形形状とほぼ同じにされており、前記吊り金具の間を締結する締結手段を含むことを特徴とする空気調和装置室内機。
【請求項６】
請求項１に記載の空気調和装置室内機であって、
吊金具を吊ボルトに取り付けたナットにて係止し、吊金具の上面側にスライド可能な吊ボルトねじ部嵌合部品を有したことを特徴とする空気調和装置室内機。
【発明の詳細な説明】
【技術分野】
【０００１】
本発明は、天井吊もしくは天井埋込型の空気調和装置室内機のキャビネットの本体支持構造に関する。
【背景技術】
【０００２】
近年オフィスビルなどの空気調和装置室内機を天井埋込もしくは天井吊で設置する形態が増えている。この際、一般に利用される空気吹出し口を複数有する天井カセット型室内機においては、特許文献１などに示される外観を持つ室内機が一般的である。この形態の室内機は、化粧パネルの四つ角の上部に吊固定するための金具が設けられている。このため施工時に金具での吊固定作業を容易とするため、室内機筐体は正方形の角部を切り落とした略８角形とし、角部周辺での金具固定作業を容易とする空間を確保できるようになっている。
【０００３】
このため室内機の内部構造としては、特許文献２に示されるように吊金具と隣接する室内機筐体内部にドレン水ポンプや外気風道が配置されそれら部位が室内機内部で突出する形となるため、熱交換器二次側（吹出し側）の空間を圧迫し送風抵抗の低減を阻害している。
【先行技術文献】
【特許文献】
【０００４】
【特許文献１】特許５１００７１４号
【特許文献２】特開２００５−１６４２０６号公報
【発明の概要】
【発明が解決しようとする課題】
【０００５】
特許文献１の外形を有し、特許文献２の内部構造を有する従来の空気調和装置室内機によれば、四つ角部に配置され、室内機内部で突出したドレン水ポンプや外気風道が、熱交換器二次側（吹出し側）の空間を圧迫し送風抵抗の低減を阻害している。
【０００６】
また特許文献２の形態の空気調和装置室内機では、化粧パネルの四つ角部において吊金具の上部と下部両方のナットで固定している。このため、その固定作業を容易とするために、天井ボード開口部に対し吊金具周辺が広くあくよう筐体角部を大きく斜めに切り落し、そこに吊金具を設けている。このため筐体内部スペースを圧迫し、向きの異なる隣接する空気吹き出し口が成す角部にドレン水ポンプや外気風道などの機能部品が配置されるため、熱交換器二次側（吹出し側）の空間を圧迫し送風抵抗を増加させている。
【０００７】
以上のことから本発明においては、室内機筐体支持部周辺スペースを活用でき、施工性に配慮した筐体支持構造を提供し、筐体内部空間を拡大することができる空気調和装置室内機を提供することを目的としている。
【課題を解決するための手段】
【０００８】
以上のことから本発明においては、送風機を筐体略中央に配し、その周囲に熱交換器と複数の空気吹き出し口を有し、天井に埋め込みもしくは、天井より吊り下げる空気調和装置室内機であって、略四角形状の前記筐体の角部に開口部を有する吊金具を配置し、天井裏より吊り下げた吊ボルトに吊り金具を固定するに際し、吊り金具の開口部に吊ボルトを位置づけて吊り金具の下部にナットを配して筐体の高さ位置調整し、ナットの回り止め防止部材によりナットの回転を防止することを特徴とする。
【発明の効果】
【０００９】
本発明によれば、吊金具の固定方法を見直すことで、その周囲空間を活用できるようにする。これによりドレン水ポンプなどの室内機内部への突出抑制が可能となり、熱交換器二次側の空間を広げ、送風抵抗を低減し、送風機動力・騒音の低減効果を得る。
【図面の簡単な説明】
【００１０】
【図１】本発明の実施例１に係る具体的な取り付け構造を示す図。
【図２】実施例１の取り付け状態を示した図。
【図３】本発明の実施例２に係る具体的な取り付け構造を示す図。
【図４】実施例２の取り付け状態を示した図。
【図５】本発明の実施例３に係る具体的な取り付け構造を示す図。
【図６】実施例３の取り付け状態を示した図。
【図７】本発明の実施例４に係る具体的な取り付け構造を示す図。
【図８】実施例４の取り付け手順を示した図。
【図９】本発明が適用可能な従来の天井カセット型室内機の外観構成を示す図。
【図１０】図９の天井カセット型室内機筐体１の吊支持構造を示す図。
【図１１】図１０の吊ボルト６と吊金具５の固定手法の具体的な一例を示す図。
【図１２】図１０の天井ボード開口部と室内機筐体の位置関係を説明する図。
【図１３】従来の天井カセット型室内機の内部構造を示す図。
【図１４】本発明の天井カセット型室内機の内部構造を示す図。
【発明を実施するための形態】
【００１１】
本発明の実施例について以下、図面を用いて説明する。
【実施例１】
【００１２】
本発明の空調機は、空気吹出し口を複数有する天井カセット型室内機において送風抵抗・動力・騒音低減に有利な効果を奏するものである。本発明を明確にする為、最初に従来型の空気吹出し口を複数有する天井カセット型室内機の基本配置と取り付け手法を図９から図１３を用いて説明する。その後実施例１について図１、図２を参照して説明する。
【００１３】
図９に、本発明が適用可能な従来の天井カセット型室内機の外観構成を示している。図９によれば、天井カセット型室内機１００は大別すると正方形の角部を切り落とした略８角形の筐体１と略四角形の化粧パネル２からなる。化粧パネル２は、化粧パネル２側の略中央に空気吸い込み口３を持ち、略四角形の周囲４辺に複数の空気吹き出し口４を持つ。
【００１４】
筐体１の吊支持構造としては、図１０の天井カセット型室内機筐体１の吊支持構造を示す図に示すように筐体１の角部に吊金具５を固定配置し、天井裏より吊り下げた吊ボルト６を吊金具５に形成された孔部に嵌合してボルトを締結することで支持している。
【００１５】
従来の吊ボルト６と吊金具５の固定手法の具体的な一例としては、図１１に示すように、天井裏７より吊り下げられた吊ボルト６に対し、下側の第一のナット８と上側の第二のナット９を適当な間隙Ｈになるよう設定した後、筐体１を天井ボード１０に設けた開口部より持ち上げ、筐体１の角部に設置された吊金具５を下側の第一のナット８に係止させる。この際、吊金具５には吊ボルト６を筐体１の側面方向より差し込めるよう、略Ｕの字状に切り欠いてあり係止は容易である。
【００１６】
吊金具５を下側の第一のナット８に係止させた後、筐体１の下部に取り付ける化粧パネルが天井ボード１０に密着するよう、下側の第一のナット８と上側の第二のナット９を回し筐体１の吊高さを調整し、両方のナット８，９を締め付け吊金具５と固定する。
【００１７】
この施工作業の際、下側の第一のナット８は天井ボード１０側に近く比較的締め付けが容易であるが、上側の第二のナット９は吊金具５を挟んでさらに奥側となる為、作業性の配慮が必要である。よって筐体１の角部は、図１２の天井ボード開口部と室内機筐体の位置関係を説明する図に示すように天井ボード開口部１１に対し吊金具５周辺の作業スペースが確保できるよう、斜めに切り落されるなどしている。
【００１８】
これにより従来の天井カセット型室内機の内部構造は、化粧パネル側から見ると図１３に示す構造となっている。図１３の内部構造によれば、略中央に送風機１２が設置され、その外周に熱交換器１３を配置し、室内空気を中央から吸い込み、熱交換した後、化粧パネル周辺部より吹き出す構造となっている。熱交換器通過後の空気流れを極力阻害しないよう室内機角部に配置されている。図の例では、ドレン水ポンプ１４は左上の角部、外気風道１５は右上の角部、冷媒液配管１６、冷媒ガス配管１７や冷媒制御機器を配した機械室は左下の室内機角部に配置されている。
【００１９】
しかしながら、前述の吊金具５周辺での作業性に配慮し、筐体角部スペースが有効に活用されていない。このためドレン水ポンプ１４の周囲壁と外気風道１５の周囲壁間の幅Ｌ１（上辺）、ドレン水ポンプ１４と機械室周囲壁との距離Ｌ２（左辺）が狭くなり、通風抵抗を大きくするため送風機回転数も高く設定する必要が生じ、送風機動力も大きくなり、また送風機騒音も大きくなる。
【００２０】
よって図１４のようにドレン水ポンプ１４、外気風道１５部分を従来より外側に配して、吊金具５付近の筐体角部切り欠きを極小化できれば、図１３に示したＬ１やＬ２の幅がそれぞれＬ１２、Ｌ２２となり、図１４のほうが熱交換器通過後の空気通路スペースを広くし、通風抵抗の削減の効果を得ることが出来る。
【００２１】
このため筐体据付姿勢にて、吊金具５と吊ボルト６の固定が下側からのみの作業で行えることが重要となる。本発明では、室内機角部周辺スペースをより活用しつつ、吊ボルトでの室内機固定できる構造とした。
【００２２】
本発明の実施例１に係る具体的な取り付け構造を、図１、図２を用いて説明する。図１は吊ボルト６と吊金具の固定方法と構成部品を示す図である。従来は吊ボルト６と吊金具５の固定は、図１１に示すように下部に設置した第一のナット８と上部に設置された第二のナット９を用いていたが、吊金具５の周辺スペースを減らした場合、上側の第二のナット９の作業性が悪いため、図１では第二のナット９を用いていない。つまり、下側のナットあるいは下側からの作業のみで、従来の取り付けにより実現していた荷重支持と回り止め防止の機能を実現している。
【００２３】
実施例１に係る取り付けで使用する固定用の部材は、吊ボルト６と、吊ボルト６に予め装着された第一のナット８（従来における下部に設置したナット）と、ねじ加工された複数の孔３０とＵ字状の開口部３１を備え室内機筐体１の４つの角部に固定配置された吊金具５と、複数のねじ２０と、複数のねじ２０の複数の貫通孔３２を備えた押さえ板１９などである。またこれらの部材は、上部から吊金具５、第一のナット８、押さえ板１９、ねじ２０の順に配置される。またねじ２０は、押さえ板１９の貫通孔３２から、吊金具５のねじ加工された孔３０に向けて取り付けられる。なお吊金具５は比較的薄い（通常は１．２乃至１．６ミリ程度）板材であるが、ねじ加工することは可能である。
【００２４】
本発明の実施例１では、以上の取り付け部材を用いて以下のように取り付け作業が実施される。まず吊ボルト６の下側に第一のナット８を取り付け、そこに室内機筐体１と接合した吊金具５をＵ字状の開口部３１により係止させる。係止させた後、第一のナット８にて室内機１の吊位置を調整する。
【００２５】
このままでは、第一のナット８は吊金具５に対し回転の自由度を有するため、運転時の振動などで徐々に緩みを生ずる虞がある。そこでさらに、ねじ２０を押さえ板１９の貫通孔３２から、吊金具５のねじ加工された孔３０に向けて取り付ける。これにより、第一のナット８と吊金具５は押さえ板１９とねじ２０にて締結され、第一のナット８と吊金具５は固定される。吊金具５は室内機筐体１に複数個取り付けられているので、吊ボルト６に対する回転の自由度を無くしている。
【００２６】
この構造によれば、第一のナット８により室内機荷重を支持し、複数のねじ２０により回り止め防止の機能を実現している。
【００２７】
これにより図２で示すように天井裏７から吊り下げられた吊ボルト６と筐体１に取り付けられた吊金具５の固定は、吊金具５の下部に取り付けられた、第一のナット８と押さえ板１９とねじ２０により固定することが出来、据付施工時に吊金具５と天井裏７の間では、ボルトやねじの締結作業を行う必要がない。このため、下側からこの空間へ工具などを入れるスペースを考慮する必要を排除でき、図１４に示すドレン水ポンプ１４周辺の構造を実施することが出来、室内機角部スペースをより活用して機能部品を配置でき、熱交換器通過後の空気通風スペースを広げ、通風抵抗削減、送風機動力低減、送風機騒音低減に効果を得る事ができる。
【００２８】
実施例１は、送風機を筐体略中央に配し、その周囲に熱交換器と複数の空気吹き出し口を有し、天井に埋め込みもしくは、天井より吊り下げる空気調和装置室内機であって、略四角形状の筐体の角部に開口部を有する吊金具を配置し、天井裏より吊り下げた吊ボルトに吊り金具を固定するに際し、吊り金具の開口部に吊ボルトを位置づけて吊り金具の下部にナットを配して筐体の高さ位置調整し、ナットの回り止め防止部材によりナットの回転を防止するものであって、回り止め防止部材は、ナット下部に配置された押さえ板と、押さえ板と吊り金具の間を締結する締結手段を含むものである。
【実施例２】
【００２９】
実施例２に係る具体的な取り付け構造について図３、図４を用いて説明する。実施例２は、実施例１の図１で示される第一のナット８と押さえ板１９を一体化した押さえ板付ナット２１としたものである。
【００３０】
実施例２に係る取り付けで使用する固定用の部材は、吊ボルト６と、吊ボルト６に予め装着された押さえ板付ナット２１と、ねじ加工された複数の孔３０とＵ字状の開口部３１を備え室内機筐体１の４つの角部に固定配置された吊金具５と、複数のねじ２０などである。またこれらの部材は、上部から吊金具５、押さえ板付ナット２１、ねじ２０の順に配置される。
【００３１】
図３において吊金具５の構成が明確に示されていないが、これは図1に示したものと同じ部材であり、ねじ加工された複数の孔３０とＵ字状の開口部３１を備え室内機筐体１の４つの角部に固定配置されたものである。
【００３２】
押さえ板付ナット２１は、第一のナット８に相当するナット部２１Aと,押さえ板１９に相当する板部２１Ｂと、板部２１Ｂに形成した複数の貫通孔２１Ｃで構成されている。この押さえ板付ナット２１は、ナットを回転させるためスパナやソケットレンチと勘合する面を有し、且つ吊金具５と締結させるためのねじ通し穴２１Ｃを有する。このねじ通し穴２１Ｃは、押さえ板付ナット２１の回転位置の調整を容易とするため、長穴加工とすると良い。また長穴とせずに、一定角度毎ずらした通し穴を設けても良い。
【００３３】
ねじ２０は、板部２１Ｂに形成した複数の貫通孔２１Ｃから、吊金具５のねじ加工された孔３０に向けて取り付けられる。なお吊金具５は比較的薄い（通常は１．２乃至１．６ミリ程度）板材であるが、ねじ加工することは可能である。
【００３４】
本発明の実施例１では、以上の取り付け部材を用いて以下のように取り付け作業が実施される。まず吊ボルト６の下側に押さえ板付ナット２１を板部２１Ｂが上側になるように取り付けておき、そこに室内機筐体１と接合した吊金具５をＵ字状の開口部３１により係止させる。係止させた後、押さえ板付ナット２１を回転させながら室内機１の吊位置を調整する。
【００３５】
このままでは、押さえ板付ナット２１は吊金具５に対し回転の自由度を有するため、運転時の振動などで徐々に緩みを生ずる虞がある。そこでさらに、ねじ２０を押さえ板付ナット２１の板部２１Ｂに形成した複数の貫通孔２１Ｃから、吊金具５のねじ加工された孔３０に向けて取り付ける。これにより、押さえ板付ナット２１と吊金具５は板部２１Ｂとねじ２０にて締結され、押さえ板付ナット２１と吊金具５は固定される。吊金具５は室内機筐体１に複数個取り付けられているので、吊ボルト６に対する回転の自由度を無くしている。
【００３６】
この構造によれば、押さえ板付ナット２１により室内機荷重を支持し、複数のねじ２０により回り止め防止の機能を実現している。押さえ板付ナット２１を、室内機据付状態の側面から見た図が、図４である。吊金具５の下側の押さえ板付ナット２１の位置を微調整することで、筐体１の吊高さを調整でき、また位置調整後ねじ２０を用いて吊金具５と押さえ板付ナット２１の締結も室内機下面側一方よりできる為、実施例１同様に室内機角部スペースを有効に活用でき同じ効果を得る。
【００３７】
これにより図４で示すように天井裏７から吊り下げられた吊ボルト６と筐体１に取り付けられた吊金具５の固定は、吊金具５の下部に取り付けられた、押さえ板付ナット２１とねじ２０により固定することが出来、据付施工時に吊金具５と天井裏７の間では、ボルトやねじの締結作業を行う必要がない。このため、下側からこの空間へ工具などを入れるスペースを考慮する必要を排除でき、図１４に示すドレン水ポンプ１４周辺の構造を実施することが出来、室内機角部スペースをより活用して機能部品を配置でき、熱交換器通過後の空気通風スペースを広げ、通風抵抗削減、送風機動力低減、送風機騒音低減に効果を得る事ができる。
【００３８】
また実施例2によれば、取り付けの部品点数が少なくて済むという効果がある。
【実施例３】
【００３９】
実施例３について図5、図6を用いて説明する。実施例３は、実施例１の図１の変形である。
【００４０】
実施例３に係る取り付けで使用する固定用の部材は、吊ボルト６と、吊ボルト６に予め装着された第一のナット８（従来における下部に設置したナット）と、ねじ加工された複数の孔３０とＵ字状の開口部３１を備え室内機筐体１の４つの角部に固定配置された吊金具５と、複数のねじ２０と、複数のねじ２０の複数の貫通孔３２と中心部のナット回転防止用孔３２を備えた回り止め部材２２aなどである。またこれらの部材は、上部から吊金具５、第一のナット８、回り止め部材２２a、ねじ２０の順に配置される。またねじ２０は、回り止め部材２２aの貫通孔３２から、吊金具５のねじ加工された孔３０に向けて取り付けられる。さらに、回り止め部材２２aの中心部のナット回転防止用孔３２の形状は第一のナット８の外形形状とほぼ同じとされている。これにより回り止め部材２２aの中心部のナット回転防止用孔３２が第一のナット８の外形に沿って取り付けられ、ねじ２０が締め付けられた状態では第一のナット８の回転が阻止されることになる。
【００４１】
実施例３において、金具５の下側に第一のナット８を取り付け係止するのは実施例１と同様である。第一のナット８の位置調整後、ナットの回転を防止するため、回り止め部材２２ａを取り付ける。回り止め部材２２ａは、ナット外周で押さえ回転を防止する。
【００４２】
部品を組み付けた状態を図６に示す。このままでは、室内機は吊ボルト６の上方向への自由度があるように見えるが、室内機筐体は化粧パネルを取り付けることで、天井ボードと化粧パネルが密着し上方向の自由度を無くするため固定できる。また天井ボードがない状態で、室内機を吊り下げる場合は、回り止め部材２２ａの外周方向から第一のナット８を締結できるよう、図示しない止めねじを取り付けることで固定できる。これにより実施例１同様の効果を得る。
【実施例４】
【００４３】
実施例４について図7、図８を用いて説明する。実施例４は、従来の空調機の図６で示される第２のナット９の機能を他の部品に置き換えつつ、据付状態にて吊金具５より上部での締結部品の締め付け作業を不要とするものである。
【００４４】
図７に部品構成を示すように、吊金具５の下部に第一のナット８があり、この回転を抑制する回り止め部材２２ｂが第一のナット８の下側にあり、また吊金具５を挟んで上側に配置される締結部材２３を有する。この締結部材２３には略Ｕ字型の切り欠き部があり、略Ｕ字部の半円部分はめねじ加工部２４を有する。回り止め部材２２ｂと締結部材２３は吊金具５を挟んでねじ２０で固定できる構造とするが、ねじ２０を緩めると吊金具５上をスライドできる構造とする。
【００４５】
この構造での吊金具５の固定方法を図８に示す。上から順を追って説明する。最初に(a)に示すように、吊ボルト６におおよその位置で第一のナット８を取り付け、吊金具５上に回り止め部材２２ｂと締結部材２３を取り付けておく。但し回り止め部材２２ｂと締結部材２３は、吊金具５を吊ボルト６に差し込む方向と反対側にて仮固定しておく。次に(ｂ)に示すように、この状態にて吊金具５を吊ボルト６に差込み、第一のナット８にて吊金具５を係止する。吊高さの微調整を第一のナット８にて実施の後、(ｃ)に示すように、回り止め部材２２ｂと締結部材２３の固定ねじ２０を緩め、回り止め部材２２ｂと締結部材２３を吊ボルト６側へスライドさせ、その後(ｄ)に示すように、回り止め部材２２ｂが第一のナット８を保持し、締結部材２３のめねじ加工部が吊ボルト６のねじ部と嵌合する位置にて固定し、ねじ２０を締め込む。
【００４６】
これにより吊金具５と吊ボルト６は締結される。また吊金具５より上部での工具作業が必要なくなり、実施例１と同様の効果を得ることができる。
【符号の説明】
【００４７】
１：室内機筐体
２：化粧パネル
３：空気吸い込み口
４：空気吹き出し口
５：吊り金具
６：吊ボルト
７：天井裏
８：第１のナット
９：第２のナット
１０：天井ボード
１１：天井ボード開口部
１２：送風機
１３：熱交換器
１４：ドレン水ポンプ
１５：外気風道
１６：液側冷媒配管
１７：ガス側冷媒配管
１８：外周壁
１９：押さえ板
２０：ねじ
２１：ねじ穴つきナット
２２ａ：回り止め
２２ｂ：回り止め
２３：締結部材
２４：めねじ加工部
２５：ばね
【図１】
2016075438.tif 000003
【図２】
2016075438.tif 000004
【図３】
2016075438.tif 000005
【図４】
2016075438.tif 000006
【図５】
2016075438.tif 000007
【図６】
2016075438.tif 000008
【図７】
2016075438.tif 000009
【図８】
2016075438.tif 000010
【図９】
2016075438.tif 000011
【図１０】
2016075438.tif 000012
【図１１】
2016075438.tif 000013
【図１２】
2016075438.tif 000014
【図１３】
2016075438.tif 000015
【図１４】
2016075438.tif 000016